(57)【要約】      （修正有）【課題】運動時に転倒による衝撃を緩和するために、衝撃から頭の後部を保護するゴーグル配置型頭部衝撃保護装置を提供する。【解決手段】ゴーグル配置型頭部衝撃保護装置はゴーグル本体１０と、両端部分がそれぞれゴーグル本体の両側で枢着され、人の頭の後ろに引っ掛けられたストラップ１３と、着脱可能にストラップに付設され、人の頭の後ろに向けて配置されたクッションパッドを含む頭部衝撃保護装置本体２０とを備える。【選択図】図１
0003220108.tif 000002
【実用新案登録請求の範囲】
【請求項１】
ゴーグル配置型頭部衝撃保護装置であって、
ゴーグル本体と、
両端部分がそれぞれ前記ゴーグル本体の両側で枢着され、人の頭の後ろに引っ掛け可能なストラップと、
着脱可能に前記ストラップに付設され、人の頭の後ろ方向に向けて配置された頭部衝撃保護装置本体とを備え、
前記頭部衝撃保護装置本体は少なくとも一つの覆袋とクッションパッドから構成され、前記クッションパッドは、前記覆袋内に収容されていることを特徴とする、
ゴーグル配置型頭部衝撃保護装置。
【考案の詳細な説明】
【技術分野】
【０００１】
本実用新案は、頭部衝撃保護装置に関し、特に、ゴーグル配置型頭部衝撃保護装置に関する。
【背景技術】
【０００２】
インラインスケート、スケートボード、アイススケーティング、スキーなどのスポーツでは、競技者は頭部を保護するためにヘルメットを着用するだけでなく、目を保護するために、スキー・スノーボード用ゴーグル、風よけゴーグル、目を保護するためのゴーグルなどのスポーツ用アイウェアを着用し、風やほこりを防ぎ、目の傷害から保護し、転倒時に目を傷害から保護する。
しかしながら、頭部と目とを保護するスポーツ用安全装置の開発は上述に限られ、極めて速い移動速度で転倒または衝突した際には、衝突のインパクトを和らげる緩衝装置が不十分であるため、衝突の力が大きい場合は、競技者は反転してしまい、ヘルメットやゴーグルを着用していても衝突による怪我を防ぐことが難しい。
【考案の概要】
【考案が解決しようとする課題】
【０００３】
上述した問題と欠点に鑑み、本実用新案の目的は、ゴーグル配置型頭部衝撃保護装置を提供することである。緩衝材からなるクッションパッドが頭部の後方に配置されることで、衝突時の衝撃力を軽減し、頭部への衝撃による怪我を防ぐことができる。
【課題を解決するための手段】
【０００４】
本実用新案のゴーグル配置型頭部衝撃保護装置は、ゴーグル本体と、ストラップと、頭部衝撃保護装置本体とを備える。ゴーグル本体の両側にストラップの両端部分が枢着され、ストラップが人の頭の後ろに引っ掛けられるようになっており、また頭部衝撃保護装置本体は、ストラップ上で着脱可能に付設され、人の頭部の後ろに向かって配置されている。頭部衝撃保護装置本体は少なくとも覆袋とクッションパッドから構成されており、クッションパッドが覆袋に収容されていることを特徴とする。  
【図面の簡単な説明】
【０００５】
【図１】ゴーグル配置型頭部衝撃保護装置の一実施形態を示す立体表示図である。
【図２Ａ】頭部衝撃保護装置本体の一実施形態を示す立体表示図である。
【図２Ｂ】頭部衝撃保護装置本体の一実施形態を示す立体表示図である。
【図２Ｃ】ゴーグル配置型頭部衝撃保護装置の一実施形態を示す立体表示図である。
【図３】ヘルメットキャップに設置された本実用新案の一実施形態を示す立体表示図である。
【図４】ヘルメットキャップに設置された本実用新案の一実施形態を示す部分概略図である。
【図５】頭部衝撃保護装置本体に設けられているオブジェクトの一実施形態を示す立体図表示図である。
【考案を実施するための形態】
【０００６】
本実用新案の構造組成、技術的手段および有効性に関して、図を参考にしながらこの事例をさらに具体的に説明する。
図１の通り、本実用新案のゴーグル上の頭部衝撃保護装置の構造は、主にゴーグル本体の１０と頭部衝撃保護装置本体２０から構成される。ゴーグル本体１０は、フレーム１１と、レンズ１２と、ストラップ１３をと備える。レンズ１２はフレーム１１内に配置されており、ストラップの両端はフレーム１１の両側にそれぞれ枢着されており、レンズ１２を含むフレーム１１が利用者の顔面に装着されると同時に、ストラップ１３は使用者の頭の後面へ引っ掛けることができる。一実施形態では、フレーム１１の端部の両側に貫通孔１５が形成されており、ストラップ１３の端を貫通孔１５に通すことで、フレーム１１の両側にストラップ１３を枢着している。一実施形態では、ストラップ１３は弾性布であり、少なくとも１つの調節リング１４を備えることで、ストラップ１３の長さを任意に調整することができ、使用者が顔にゴーグルを快適に着用することに役立つ。
【０００７】
図２Ａに示すように、頭部衝撃保護装置本体２０は少なくとも覆袋２１とクッションパッド（図示なし）から構成されている。クッションパッドは覆袋２１内に収容され、覆袋２１の少なくとも一側面にはバックルアセンブリ２３が設置されており、バックルアセンブリ２３を開閉することによってクッションパッドの充填または取出しを行うことができる。クッションパッドの大きさに制限はないが、使用者の頭部のサイズに快適に適合することが原則である。
頭部衝撃保護装置本体２０は少なくとも１つのバックルアセンブリ２３を利用して覆袋２１をストラップ１３に固定するため、ストラップ１３上で着脱可能に枢動され使用者の頭部の後方に配置することができる。覆袋２１は防水性、通気性、発汗からの吸湿性を有し、ナイロン、ライクラ（登録商標）、ポリエチレン繊維、ポリ塩化ビニル繊維、アクリル繊維等を主要成分とするが、その限りではない。クッションパッドは、スポンジ、メモリラテックス、エアクッション、スプリング、シリコン、またはＤ３Ｏ材料であるが、これに限定されるものではない。例えば、ポリウレタン（ＰＵ）ポリ塩化ビニル（ＰＶＣ）または熱可塑性ポリウレタン（ＴＰＵ）など弾性および減圧機能を有する他の材料である。なお、Ｄ３０材料は一種のＰＵエネルギー吸収材料であり、インテリジェント分子からなる耐衝撃性単一材料である。従って、使用者が転倒し衝撃を受けた際、頭部後方に配置された頭部衝撃保護装置が即時に頭部への衝撃を緩和し、頭部後方が直接的に衝突による影響を受けることを防止することができる。
【０００８】
一実施形態では、バックルアセンブリ２３は、覆袋２１に接着または縫い付けられる。例えば図２Ａに示すように、各バックルアセンブリ２３は同方向にストラップ１３を囲むことにより、覆袋２１をストラップ１３上に固定することができ、また例えば図２Ｂに示すように、各バックルアセンブリ２３は反対の方向にストラップ１３を囲み、覆袋２１をストラップに固定することができる。
バックルアセンブリ２３は、面ファスナー２３１であり、ループ面２３２とフック面２３３を備える。覆袋２１はバックルアセンブリ２３の側面を除いてその他全ての側面に面ファスナーを設置することができる。一実施形態では、バックルアセンブリ２３のフック面２３３はストラップ１３を囲った後、面ファスナー２３１のフック面２３３が覆袋２１の底面に設置された面ファスナーに貼付されている。
【０００９】
一実施形態では、バックルアセンブリ２３は覆袋２１の周りにさら付けている。図２Ｃに示すようにストラップ１３と覆袋２１はそれぞれ少なくとも１つのバックルアセンブリ２３に接着され、バックルアセンブリ２３は面ファスナーを使用することができるため、ストラップ１３に対面する覆袋２１の一側面は、バックルアセンブリ２３及びストラップ１３上に設置されたバックルアセンブリ２３によって、ストラップ１３に固定される。より好ましい形態としては、バックルアセンブリ２３が覆袋２１の少なくとも３つの側面を回り囲ませた後、覆袋２１をストラップ１３へ固定させる。
【００１０】
一実施形態では，本実用新案のゴーグル配置型頭部衝撃保護装置をヘルメットに設置できる。図３を参照する。ヘルメットはヘルメットキャップ３０と、制限部４０と上述のゴーグル本体１０を含む。制限部４０はヘルメットキャップ３０の外側面に設置され、制限部４０の一端はヘルメットキャップ３０に着脱可能に組み付けられており、制限部４０とヘルメットキャップ３０の外側面との間には制限空間が形成されている。
ヘルメットキャップ３０の後面には第一締結部品３１が設けられており、制限部４０の一端には第一締結部品３１に適合する第二締結部品４１が設けられおり、制限部４０のもう一端にはヘルメットキャップ３０が固定されている。ストラップ１３は制限部４０の制限空間を通過して制限部４０の下に押し込められ、第一締結部品３１は第二締結部品４１に締結されることにより、ヘルメットキャップ３０の外側面にゴーグルのストラップ１３を設ける。
【００１１】
図４を参照する。一実施形態において、頭部衝撃保護装置本体２０の覆袋２１には貫通孔２４が設けられ、またはバックルアセンブリ２３には少なくとも１つの貫通孔２４が設けられることにより、制限部４０を貫通孔２４に通して第一締結部品３１と第二締結部品４１は締結され、頭部衝撃保護装置本体２０が制限部４０の制限空間に対して外側に着脱可能に配置されている。
貫通孔２４のサイズに制限はなく、制限部４０が貫通孔を通過できることを原則とする。また、貫通孔２４が設置されていない場合には、バックルアセンブリ２３と制限部４０との隙間に制限部４０を貫通させて、頭部衝撃保護装置本体２０を制限部４０の制限空間の外側に配置してもよいが、本実用新案はこれに限定されない。
【００１２】
図５を参照する。一実施形態では、頭部衝撃保護装置本体２０のスタイリッシュな外観を追加するために、天使や悪魔、アニメ人形、趣味のジュエリーなどのオブジェクト２５が含まれる。覆袋２１はジッパー２２が設けられている側面を除いてその他の側面に面ファスナーを設けてもよく、オブジェクト２５も面ファスナーを縫い付けられてよく、覆袋２１の側面にある面ファスナーと結合させ、面ファスナーによってオブジェクト２５を面ファスナー上に設置する。オブジェクト２５が頭部衝撃保護装置本体２０に接着される位置は特に制限されず、バックルアセンブリ２３を利用して覆袋を２１ストラップ１３に固定することを妨げない。
【００１３】
上記は本実用新案の好ましい実施形態に過ぎず、本実用新案の権利範囲を限定するものではない。同時に、上記の説明は、関連技術領域の専門家によって理解され実施されるべきであり、本実用新案の精神から逸脱することなくなされた他の同等な変更または修正は、実用新案登録出願の範囲に含まれるべきである。
【符号の説明】
【００１４】
１０  ゴーグル本体  
１１  フレーム
１２  レンズ
１３  ストラップ  
１４  調整リング
１５  貫通孔
２０  頭部衝撃保護装置本体
２１  覆袋
２２  ジッパー
２３  バックルアセンブリ
２３１  面ファスナー  
２３２  ループ面
２３３  フック面
２４  貫通孔
２５  オブジェクト
３０  ヘルメットキャップ
３１  第一締結部品
４０  制限部
４１  第二締結部品
【図１】
0003220108.tif 000003
【図２Ａ】
0003220108.tif 000004
【図２Ｂ】
0003220108.tif 000005
【図２Ｃ】
0003220108.tif 000006
【図３】
0003220108.tif 000007
【図４】
0003220108.tif 000008
【図５】
0003220108.tif 000009